(57)【要約】【課題】装置を組み立てる際に信号用可動接触子の初期位置を決めることができるとともに、振動及び衝撃等の外力に対する耐性を向上することのできるスイッチ装置を提供する。【解決手段】器体２に収納される信号用固定接点４０ａと、ハンドル３と一体に揺動する操作片３０と、ハンドル３のオン位置又はオフ位置への揺動に応じて信号用固定接点４０ａに接離される信号用可動接触子４１とを有しする信号用接点機構部４を備え、信号用可動接触子４１は、長手方向の一端において器体２に圧入固定される固定部４１ａと、長手方向の他端において固定部４１ａを支点として撓み自在であって信号用固定接点４０ａと接離する可動接点部４１ｂとを有し、信号用接点機構部４に、可動接点部４１ｂを撓ませた状態で保持する接点保持部２０ｂを設けた。【選択図】図１
2009152008.tif 000002
【特許請求の範囲】
【請求項１】
電源用接点がオンしている状態とオフしている状態とを反転させる電源用接点機構部と、電源用接点機構部が収納される器体と、器体の前面において一端部が他端部よりも器体前面の前方に突出する位置と、他端部が一端部よりも器体前面の前方に突出する位置との間で揺動自在に支持されるハンドルとを備え、ハンドルが前記何れかの位置から他方の位置に揺動すると電源用接点機構部を反転させて電源用接点のオン／オフを切り替えるように構成されたスイッチ装置であって、器体に収納される信号用固定接点と、ハンドルから信号用固定接点に向かう方向に突設されてハンドルと一体に揺動する操作片と、ハンドルのオン位置又はオフ位置への揺動に応じて信号用固定接点に接離される信号用可動接触子とを有し、電源用接点機構部のオン／オフ状態の判断に用いられる信号用接点機構部を備え、信号用可動接触子は、帯状の金属板から成り、長手方向の一端において器体に圧入固定される固定部と、長手方向の他端において固定部を支点として撓み自在であって信号用固定接点と接離する可動接点部と、固定部と可動接点部との間においてハンドルに向かって凸状に折曲されて操作片の軌道上に配置される押圧部とを備え、ハンドルがオフ位置からオン位置に変位する又はオン位置からオフ位置に変位する際に押圧部が操作片に押圧されることで可動接点部が信号用固定接点を開閉するものであって、信号用接点機構部には、可動接点部を撓ませた状態で保持する接点保持部が設けられたことを特徴とするスイッチ装置。
【請求項２】
前記可動接点部には、その幅方向における両端部にそれぞれ外側に突出する突片が設けられ、接点保持部は、可動接点部における前記突片のみを保持するように形成されたことを特徴とする請求項１記載のスイッチ装置。
【請求項３】
前記器体には、ハンドルの揺動する範囲の限界位置において操作片が当接するとともに操作片の揺動を規制する規制部が設けられたことを特徴とする請求項１又は２記載のスイッチ装置。
【発明の詳細な説明】
【技術分野】
【０００１】
本発明は、ハンドルの揺動に伴って接点がオン／オフされるスイッチ装置に関する。
【背景技術】
【０００２】
従来から、図４（ａ），（ｂ）に示すようなスイッチ装置１００が提供されている（例えば、特許文献１参照）。このスイッチ装置１００は、２つの接点機構部１０１と、各接点機構部１０１が収納される器体１０２と、器体１０２に揺動自在に支持される接点機構部１０１のオン／オフ操作用のハンドル１０３と、各接点機構部１０１とハンドル１０３とをそれぞれ連結するコイルばねから成る反転ばね１０４とを備える２極型のスイッチ装置であって、反転ばね１０４は、ハンドル１０３がオフ位置に位置している際に一方向側に屈曲することで接点機構部１０１をオフし、ハンドル１０３がオン位置に位置している際に他方向側に屈曲することで接点機構部１０１をオンし、ハンドル１０３がオン位置とオフ位置との間を揺動する際に最も圧縮された状態となることで、弾性力によって一方向側又は他方向側に屈曲する屈曲動作を行うよう構成されている。
【０００３】
したがって、スイッチ装置１００では、ハンドル１０３をオフ位置からオン位置、又はオン位置からオフ位置に揺動させる際に、ハンドル１０３を反転ばね１０４が最も圧縮された状態になるまで揺動させた後は、反転ばね１０４の均衡が崩れることによって、反転ばね１０４の屈曲動作を行い、これによりハンドル１０３が急激に揺動して両接点機構部１０１がオン又はオフとなるようになっている。このようなスイッチ装置１００は、反転ばね１０４の屈曲動作によって接点機構部１０１のオン／オフが迅速に行われるので、接点機構部１０１にアークが生じることが抑制されている。
【０００４】
また、このようなスイッチ装置１００において、スイッチ装置を直視することなく、両接点機構部１０１のオン／オフ状態を確認するための電気信号が得られるように信号用接点機構部１０５を構成したスイッチ装置が提供されている。以下、信号用接点機構部１０５について図面を用いて説明する。この信号用接点機構部１０５は、図５に示すように、器体１０２に収納される一対（図示では１つ）の信号用固定接点１０５ａと、ハンドル１０３に固定されてハンドル１０３のオン位置又はオフ位置への揺動に応じて、信号用固定接点１０５ａに接離される信号用可動接触子１０５ｂとを有し、信号用接点機構部１０５は、反転ばね１０４の屈曲動作中に、信号用可動接触子１０５ｂが信号用固定接点１０５ａとそれぞれ接触するように構成されている。
【０００５】
而して、ハンドル１０３がオン位置に揺動すると信号用可動接触子１０５ｂが信号用固定接点１０５ａに接触して信号用固定接点１０５ａ間がオンとなり、ハンドル１０３がオフ位置に揺動すると信号用可動接触子１０５ｂが信号用固定接点１０５ａから離れて信号用固定接点１０５ａ間がオフとなることから、信号用固定接点１０５ａ間に電圧を印加することで接点機構部１０１のオン／オフ状態を確認するための電気信号を得ることができる。
【特許文献１】特開平７−２９６６８０号公報（図１〜図５参照）
【発明の開示】
【発明が解決しようとする課題】
【０００６】
しかしながら、上記従来例では、装置を組み立てる際に信号用可動接触子１０５ｂの信号用固定接点１０５ａと接離する部位が固定されていないため、信号用可動接触子１０５の初期位置にバラツキが生じ、信号用接点機構部１０５が所望の動作を行えない虞があった。また、装置の組立時において信号用可動接触子１０５が振動及び衝撃等の外力を受けて動いてしまう虞があった。
【０００７】
本発明は、上記の点に鑑みて為されたもので、装置を組み立てる際に信号用可動接触子の初期位置を決めることができるとともに、振動及び衝撃等の外力に対する耐性を向上することのできるスイッチ装置を提供することを目的とする。
【課題を解決するための手段】
【０００８】
請求項１の発明は、上記目的を達成するために、電源用接点がオンしている状態とオフしている状態とを反転させる電源用接点機構部と、電源用接点機構部が収納される器体と、器体の前面において一端部が他端部よりも器体前面の前方に突出する位置と、他端部が一端部よりも器体前面の前方に突出する位置との間で揺動自在に支持されるハンドルとを備え、ハンドルが前記何れかの位置から他方の位置に揺動すると電源用接点機構部を反転させて電源用接点のオン／オフを切り替えるように構成されたスイッチ装置であって、器体に収納される信号用固定接点と、ハンドルから信号用固定接点に向かう方向に突設されてハンドルと一体に揺動する操作片と、ハンドルのオン位置又はオフ位置への揺動に応じて信号用固定接点に接離される信号用可動接触子とを有し、電源用接点機構部のオン／オフ状態の判断に用いられる信号用接点機構部を備え、信号用可動接触子は、帯状の金属板から成り、長手方向の一端において器体に圧入固定される固定部と、長手方向の他端において固定部を支点として撓み自在であって信号用固定接点と接離する可動接点部と、固定部と可動接点部との間においてハンドルに向かって凸状に折曲されて操作片の軌道上に配置される押圧部とを備え、ハンドルがオフ位置からオン位置に変位する又はオン位置からオフ位置に変位する際に押圧部が操作片に押圧されることで可動接点部が信号用固定接点を開閉するものであって、信号用接点機構部には、可動接点部を撓ませた状態で保持する接点保持部が設けられたことを特徴とする。
【０００９】
請求項２の発明は、請求項１の発明において、可動接点部には、その幅方向における両端部にそれぞれ外側に突出する突片が設けられ、接点保持部は、可動接点部における前記突片のみを保持するように形成されたことを特徴とする。
【００１０】
請求項３の発明は、請求項１又は２の発明において、器体には、ハンドルの揺動する範囲の限界位置において操作片が当接するとともに操作片の揺動を規制する規制部が設けられたことを特徴とする。
【発明の効果】
【００１１】
請求項１の発明によれば、可動接点部を撓ませた状態で接点保持部に保持することで信号用可動接触子を所定の状態で固定することができるので、信号用可動接触子の初期位置を位置決めすることができ、したがって信号用可動接触子の初期位置のバラツキによって信号用接点機構部が所望の動作を行えないのを防ぐことができる。また、装置の組立時において信号用可動接触子が外力を受けて動くのを防ぐことができ、したがって振動及び衝撃に対する耐性を向上することができる。
【００１２】
請求項２の発明によれば、装置の組立時において器体の信号用可動接触子と対向する部位に信号用固定接点を配設する際に、可動接点部の突片以外の部位と対応する空間に接点保持部が存在しないことから信号用固定接点を容易に配設することができる。
【００１３】
請求項３の発明によれば、ハンドルを揺動範囲以上に押し込もうとした場合に規制部によって操作片の揺動を規制することでハンドルのそれ以上の揺動を規制することができ、したがって必要以上なハンドルの押し込みを防ぐことで信号用可動接触子が塑性変形するのを防止することができる。
【発明を実施するための最良の形態】
【００１４】
以下、本発明に係るスイッチ装置の実施形態について図面を用いて説明する。尚、以下の説明では、図１（ａ）における上下を前後方向、図１（ａ）における左右を左右方向と定めるものとする。本実施形態のスイッチ装置１は、図１（ａ）に示すように、商用電源等の大電流が流れる一対の電源用接点機構部と、電源用接点機構部が収納される器体２と、器体２の前面において一端部（左端部）が他端部（右端部）よりも突出する位置（オフ位置）と、右端部が左端部よりも突出する位置（オン位置）との間で揺動自在に支持されるハンドル３と、電源用接点機構部とハンドル３とを連結するコイルばねから成る反転ばね（図示せず）とを備え、反転ばねは、ハンドル３がオフ位置に位置している際に一方向（右方向）側に屈曲することで電源用接点機構部をオフし、ハンドル３がオン位置に位置している際に他方向（左方向）側に屈曲することで電源用接点機構部をオンし、ハンドル３がオン位置とオフ位置との間を揺動する際に最も圧縮された状態となることで、弾性力によって右方向側又は左方向側に屈曲する屈曲動作を行うように構成される。尚、電源用接点機構部は上記従来例でも説明したように周知であり、本発明の要旨に関るものではないので、ここでは図示及び説明を省略する。
【００１５】
また、スイッチ装置１は、器体２に収納される一対（図示では１つ）の信号用固定接点４０ａと、ハンドル３から信号用固定接点４０ａに向かう方向に突設されてハンドル３と一体に揺動する操作片３０と、ハンドル３のオン位置又はオフ位置への揺動に応じて信号用固定接点４０ａに接離される信号用可動接触子４１とを有し、スイッチ装置１のオン／オフ状態の判断に用いられる信号用接点機構部４を備える。
【００１６】
信号用可動接触子４１は、例えば銅等の導電性及び可撓性を有する材料から成る金属板から曲成され、図１（ｂ）に示すように、長手方向の一端部（左端部）を略コ字状に折曲して成り後述する端子台２０に圧入固定される固定部４１ａと、長手方向の他端部（右端部）において固定部４１ａを支点として撓み自在であって信号用固定接点４０ａと接離する可動接点部４１ｂと、固定部４１ａと可動接点部４１ｂとの間において上方に向かって凸状に折曲されて操作片３０に押圧される押圧部４１ｃとを備えている。ここで、可動接点部４１ｂの幅方向の両側縁には、それぞれ略矩形状の突片４１ｅが外側に向かって一体に突設されている。また、固定部４１ａには、その略中央から切り起こされた略矩形状の係止片４１ｄが設けられている。
【００１７】
器体２は、例えば合成樹脂成形品であって、前面が開口した略直方体状に形成され、器体２の短手方向の両内側面には、ハンドル３を揺動自在に取り付けるための略円形状の軸受孔（図示せず）がそれぞれ形成されている。また、器体２の長手方向の両外側面には、図２（ａ）〜（ｃ）に示すように、短手方向に離間した一対のばね片２ａが一体に突設されており、これらばね片２ａはスイッチ装置１を機器等に設けられた取付面（図示せず）に取り付けるために用いられる。
【００１８】
器体２の内部には、一対の電源用接点機構部を各々収納される電源用接点収納室（図示せず）が形成されるとともに、信号用接点機構部４が収納される信号用接点収納室２Ａが形成されており、この信号用接点収納室２Ａの底面には、図１（ａ）に示すように、左右両端部が前方に突出した略直方体状の端子台２０が着脱自在に設けられている。
【００１９】
端子台２０の長手方向の一端部（右端部）には、図１（ｂ）に示すように、一対の挿入孔（図示せず）が貫設されており、該挿入孔に両信号用固定接点４０ａを前方に露出する形で一対のピン状の信号用固定接触子４０の各信号用端子部４０ｂが挿入される。また、端子台２０の長手方向の他端部（左端部）には、略平板状の突台部２０ａが前方に向かって突設されており、該突台部２０ａに貫設された略矩形状の窓孔２０ｃに信号用可動接触子４１の可動接点部４１ｂを挿通させた状態で、突台部２０ａの後端部に設けられた挿入孔（図示せず）に信号用可動接触子４１の固定部４１ａが圧入固定されることで信号用可動接触子４１が端子台２０に配設される。尚、固定部４１ａは、端子台２０に圧入した際に図示しない被係止部に係止片４１ｄの先端部が係止することで確実に固定される。
【００２０】
ここで、端子台２０の右端部には、信号用固定接点４０ａを挟む形で略Ｌ字状の一対の接点保持部２０ｂが互いに離間して突設されており、該接点保持部２０ｂに信号用可動接触子４１の突片４１ｅが掛止されることで可動接点部４１ｂを撓ませた状態で保持するようになっている。このため、信号用可動接触子４１を所定の状態で固定することができ、信号用可動接触子４１の初期位置を位置決めすることができる。
【００２１】
ハンドル３は、図１（ａ）に示すように、後端部が器体２に収納された状態で器体２に揺動自在（回動自在）に支持されるものであり、例えば合成樹脂成形品であって、後面が開口した略直方体状に形成されている。ハンドル３の短手方向の両外側面には、器体２の軸受孔に揺動自在に支持される略円形状の軸部（図示せず）が一体に突設されている。また、ハンドル３の前壁部３１の後面において信号用接点収納室２Ａに対応する部位には、信号用可動接触子４１を固定するための略角棒状の操作片３０が一体に突設されている。ここで操作片３０は、信号用可動接触子４１の押圧部４１ｃを押圧することで信号用可動接触子４１の可動接点部４１ｂを器体２内部の所定位置に配置するためのものであり、この操作片３０によって、可動接点部４１ｂは、ハンドル３がオフ位置に位置している際に一対の信号用固定接点４０ａから離間し、ハンドル３がオン位置に位置している際に一対の信号用固定接点４０ａに接触する位置に配置されることになる。
【００２２】
以上述べた部材により本実施形態のスイッチ装置１は構成されており、以下、スイッチ装置１の動作を図１（ａ）を用いて説明する。図１（ａ）に示す状態は、スイッチ装置１がオフである状態を示している。この状態では、ハンドル３が右回り（図１（ａ）における時計回り）に回動されてオフ位置に位置している。このようにハンドル３がオフ位置に位置している際には、図１（ａ）に示すように、信号用可動接触子４１の可動接点部４１ｂが一対の信号用固定接点４０ａから離間し、これにより信号用接点機構部４がオフ状態となっている。したがって、この状態で信号用接点機構部４の一対の信号用端子部４０ｂ間に電圧を印加すると、信号用接点機構部４がオフ状態であるから、ローレベル（０Ｖ）の電気信号が出力される。
【００２３】
ここで、ハンドル３をオフ位置に位置している状態から、ハンドル３をオン位置に揺動させる、即ち、ハンドル３前面の左端側を後方に押圧することでハンドル３を左回り（図１（ａ）における反時計回り）に回動させると、ハンドル３がオン位置に揺動するとともに、操作片３０が押圧部４１ｃを押圧することで信号用可動接触子４１が固定部４１ａを支点として下方に撓み、可動接点部４１ｂが一対の信号用固定接点４０ａに接触する。この状態では、２つの電源用接点機構部及び信号用接点機構部４が各々オンとなっている。したがって、この状態で一対の信号用端子部４０ｂ間に電圧を印加すると、信号用接点機構部４がオンであるから、印加した電圧に応じた電圧値の電気信号が出力される。このため、本実施形態のスイッチ装置１では、電源用接点機構部のオン／オフ状態を判断するための電気信号を得ることができる。
【００２４】
上述のように、可動接点部４１ｂを撓ませた状態で接点保持部２０ｂに保持することで信号用可動接触子４１を所定の状態で固定することができるので、信号用可動接触子４１の初期位置を位置決めすることができ、したがって信号用可動接触子４１の初期位置のバラツキによって信号用接点機構部４が所望の動作を行えないのを防ぐことができる。また、スイッチ装置１の組立時において信号用可動接触子４１が外力を受けて動くのを防ぐことができ、したがって振動及び衝撃に対する耐性を向上することができる。
【００２５】
また、本実施形態では、図１（ｂ）に示すように、端子台２０において信号用可動接触子４１の可動接点部４１ｂと対向する部位、即ち信号用固定接点４０ａが設けられる部位を除いた部位に接点保持部２０ｂが設けられ、可動接点部４１ｂの突片４１ｅのみを接点保持部２０ｂで保持するようにしているので、信号用固定接点４０ａが配設される空間に接点保持部２０ｂが存在しないことから、スイッチ装置１を組み立てる際に信号用固定接点４０ａを容易に配設することができる。
【００２６】
尚、本実施形態の端子台２０の突台部２０ａは、図１（ａ）に示すように、ハンドル３の揺動する範囲の限界位置において操作片３０が当接するとともに操作片３０の揺動を規制する規制部の役割を果たしている。例えば、図３に示すように、端子台２０に突台部２０ａが設けられていない、即ち規制部が設けられていない場合、図３のハンドル３の状態からハンドル３前面の右端部を更に押し込んでハンドル３を回動させようとすると、ハンドル３の揺動に伴って操作片３０も揺動し、信号用可動接触子４１の押圧部４１ｃを更に押し込んでしまい、結果として信号用可動接触子４１が塑性変形してしまう虞があった。これに対して本実施形態では、例えば図１（ａ）においてハンドル３前面の右端部を更に押し込んでハンドル３を回動させようとしても、操作片３０が突台部２０ａに当接してその揺動を規制されるので、必要以上なハンドル３の押し込みを防ぐことができ、信号用可動接触子４１が塑性変形するのを防止することができる。
【００２７】
また、図１（ｂ）に示すように、突台部２０ａの中腹部には略矩形状の立片２０ｄが外側に向かって一体に突設されており、端子台２０を器体２内に配設した際に、端子台２０の前端部、器体２の内側面、及び立片２０ｄで囲まれる空間が形成される。該空間は、器体２とハンドル３の隙間から侵入する虞のある埃等の異物を誘い込む異物誘い込み部２ｂとなっており、該空間に外部からの異物を誘い込むことで、外部からの異物によって信号用固定接点４０ａ間が短絡するのを防ぐことができる。尚、図１（ｂ）に示すように、同様の異物誘い込み部２ｂを器体２内部の左側だけでなく、器体２内側面を加工することで右側に設けても構わない。
【図面の簡単な説明】
【００２８】
【図１】本発明に係るスイッチ装置の実施形態を示す図で、（ａ）は概略断面図で、（ｂ）は信号用可動接触子及び端子台の概略斜視図である。
【図２】同上の外観を示す図で、（ａ）は一の方向から見た側面図で、（ｂ）は前記一の方向と異なる方向から見た側面図で、（ｃ）は前面図である。
【図３】従来の規制部が設けられていないスイッチ装置を示す概略断面図である。
【図４】従来のスイッチ装置を示す図で、（ａ）は概略断面図で、（ｂ）は外観図である。
【図５】従来のスイッチ装置における信号用接点機構部を示す概略断面図である。
【符号の説明】
【００２９】
１  スイッチ装置
２  器体
２０ａ  突台部（規制部）
３  ハンドル
３０  操作片
４  信号用接点機構部
４０ａ  信号用固定接点
４１  信号用可動接触子
４１ａ  固定部
４１ｂ  可動接点部
４１ｃ  押圧部
４１ｅ  突片
【図１】
2009152008.tif 000003
【図２】
2009152008.tif 000004
【図３】
2009152008.tif 000005
【図４】
2009152008.tif 000006
【図５】
2009152008.tif 000007